(57)【要約】【課題】  配管を固定するための配管固定具を利用して、内側から配管カバーを固定することにより、配管カバーの固定をより一層確実に行うことができるとともに、水栓全体の製造コストや設置作業の増加を回避すること。【解決手段】  水栓本体２０が設置固定される立壁面Ｘ表側に引き回される配管３２，３４を被覆する配管カバー７０を備え、配管カバー７０を立壁面Ｘに固定する固定構造Ｙであって、配管３２，３４を立壁面Ｘに固定するための配管ステー８０を用いて配管カバー７０を固定した。配管ステー８０の当接支持部８６が配管カバー７０の段部７９に弾性的に係止されて配管カバー７０を固定するものとした。    【選択図】    図４
2008240307.tif 000002
【特許請求の範囲】
【請求項１】
カバー水栓の水栓本体に接続されるとともに前記水栓本体が設置固定される設置面表側に引き回される配管と、
該配管を被覆する配管カバーとを備え、
該配管カバーを前記設置面に固定するカバー水栓の配管カバーの固定構造であって、
前記配管を前記設置面に固定するための配管固定具を用いて前記配管カバーを固定したことを特徴とするカバー水栓の配管カバーの固定構造。
【請求項２】
前記配管固定具に、前記配管カバーの内側面を弾性的に当接支持して固定する当接支持部を備えたことを特徴とする請求項１に記載のカバー水栓の配管カバーの固定構造。
【請求項３】
前記配管カバーに、前記当接支持部を係止する係止部を設けたことを特徴とする請求項２に記載のカバー水栓の配管カバーの固定構造。
【請求項４】
前記当接支持部が前記係止部を前記設置面方向に付勢するように前記当接支持部及び前記係止部が設けられたことを特徴とする請求項３に記載のカバー水栓の配管カバーの固定構造。
【発明の詳細な説明】
【技術分野】
【０００１】
本発明は、カバー水栓の配管カバーの固定構造に関する。
【背景技術】
【０００２】
水栓本体などの水栓部品をカバーで覆うカバー水栓が知られている。このようなカバー水栓のうち、水栓本体に接続されるとともに水栓の設置面表側に引き回される配管を覆うための「配管カバー」を備えたものが知られている。これらのカバー水栓では、配管カバーは本体カバーなど他のカバーに対して固定されていた（例えば、特許文献１参照。）。
【０００３】
【特許文献１】特開２００６−１６７６０公報（図１，図４）
【発明の開示】
【発明が解決しようとする課題】
【０００４】
このような従来のカバー水栓の配管カバーの固定構造では、配管カバーが本体カバーなどの他のカバーに対して係止固定などにより固定されているだけであった。このため、配管カバーに強い力が加わった場合には他のカバーから外れるおそれがあった。また、水栓の大流量吐水時などの振動により、配管カバーが不快な振動音を発するという問題があった。一方で、配管カバーを固定するための手段を別途用意しようとすると余分な部品が増えるため、水栓全体の製造コストが増加し、また、水栓の設置作業においても部品の組み付け作業が増加するという問題が生じていた。
【０００５】
本発明は上記した従来のカバー水栓の配管カバーの固定構造の問題点を解消するものであり、配管を固定するための配管固定具を利用して、内側から配管カバーを固定することにより、配管カバーの固定をより一層確実に行うことができるとともに、水栓全体の製造コストや設置作業の増加を回避することのできるカバー水栓の配管カバーの固定構造を提供することにある。
【課題を解決するための手段】
【０００６】
以上の課題を解決するために、本発明の採った手段を以下に説明する。本発明のカバー水栓の配管カバーの固定構造は、カバー水栓の水栓本体に接続されるとともに前記水栓本体が設置固定される設置面表側に引き回される配管と、該配管を被覆する配管カバーとを備え、該配管カバーを前記設置面に固定するカバー水栓の配管カバーの固定構造であって、前記配管を前記設置面に固定するための配管固定具を用いて前記配管カバーを固定したことを特徴とするカバー水栓の配管カバーの固定構造である（請求項１）。
【０００７】
配管固定具を利用することにより、配管カバーの固定をより確実に行えるとともに、配管固定具と兼用しているので、配管カバーの固定のためにその他の部材を用いることがなく部品点数が増加することはない。配管固定具による配管カバーへの固定手段は、配管固定具を配管カバーに当接させる当接手段や、配管カバーに嵌合させる嵌合手段、ねじ止めするねじ止め手段などを例示することができる。
【０００８】
また、前記配管固定具に、前記配管カバーの内側面を弾性的に当接支持して固定する当接支持部を備えるものとすることができる（請求項２）。
【０００９】
このような当接支持部を設けることにより、配管カバーを簡便な手段にて確実に支持固定することができる。当接支持部はばね材や樹脂などの弾性部材を用いることにより構成することができる。
【００１０】
また、前記配管カバーに、前記当接支持部を係止する係止部を設けることとしても良い（請求項３）。
【００１１】
このような係止部を設けることにより、当接支持部の位置決めを確実に行うことができ、配管カバーの固定をより確実に行うことができる。「係止部」は、例えば凹部や突条などを例示することができる。また、係止部による係止方向は、配管カバーの上下方向または／および左右方向のいずれについても行うことができる。また、特に、当接支持部が係止部を設置面方向に付勢するように配管カバーを固定するように当接支持部及び係止部を設けることにより（請求項４）、配管カバーと設置面との隙間が生じ難くすることができる。
【発明の効果】
【００１２】
本発明は上記のように配管固定具を用いて配管カバーを固定することとしたので、配管カバーを確実に固定することができる一方、水栓の製造コストや設置作業の増加を回避することができる。
【発明を実施するための最良の形態】
【００１３】
次に、本発明のカバー水栓の配管カバーの固定構造の実施の形態を図を参考にして詳細に説明する。図１に示すように、本発明の固定構造Ｙは、側面視において倒立Ｌ字状に形成されたカバー水栓１の配管カバー７０を固定するために設けられるものである。カバー水栓１は設置面である立壁面Ｘに対して固定されている。カバー水栓１は後述する水栓本体２０がカバー９により覆われており、カバー９には縦長矩形状の板状の背面部２と、背面部２の上端から正面側斜め上方に向けて屈曲連設されるとともに平面視正方形状の板状に形成される平面部３とが備えられている。
【００１４】
平面部３の左右側面には、左に温度調節ハンドル４、右に切換ハンドル５が取り付けられている。両ハンドル４，５は、側面視下向きの「かまぼこ型」状に形成されるとともに、上端部に沿って側方に向けて把手１７が延設される形状とされている。温度調節ハンドル４には高温吐水時に押動操作するための安全ボタン１６が設けられている。
【００１５】
温度調節ハンドル４よりも奥側の平面部３左側面には、ビニール管であるシャワーホース７が接続されるエルボ１８が突設されている。平面部３下部には吐水口６が突設されている。そして、温度調節ハンドル４の操作により、適宜の温度に調節された混合水が、切換ハンドル５の操作により、吐水口６又はシャワーのいずれかからその吐水量を調節されて吐水されるように構成されている。
【００１６】
図２及び図３に示すように、カバー水栓１の内部には、水栓本体２０、水栓本体２０を立壁面Ｘに固定するためのステー５０、水栓本体２０に接続される湯側・水側の配管３２，３４及び配管３２，３４を立壁面Ｘに固定するための配管ステー８０などが収容されている。配管ステー８０が本発明に言う「配管固定具」に相当する。
【００１７】
水栓本体２０の円筒状の水栓ボディ２２内には、温度調節カートリッジ２４及び切換弁カートリッジ２６が収容されており、これらに接続固定される温度調節ハンドル４または切替ハンドル５の操作により、内蔵される温度調節弁または切換弁が駆動操作される。また、水栓ボディ２２のほぼ中央部下面には、前述した吐水口６が突設されている。
【００１８】
水栓ボディ２２の背面側の左右両側には接続部２７ａ、２７ｂが突設され、これらの接続部２７ａ、２７ｂ間には接続部３０が突設されている。そして、接続部２７ａ，２７ｂには、クランク形状に屈曲形成された湯側・水側の継手２８ａ、２８ｂがおのおの接続されている。継手２８ａ、２８ｂの水栓側接続部４０には、逆流防止弁ユニット４２がそれぞれ内蔵されている。また、継手２８ａ，２８ｂの主体部４４には、止水栓ユニット４６がそれぞれ内蔵されている。
【００１９】
また、継手２８ａ，２８ｂの主体部４４の後端下方寄りには、主体部４４を立壁面Ｘに固定するための固定孔４５が、各継手２８ａ、２８ｂ毎に、左右に一つずつ設けられている。そして、継手２８ａ，２８ｂの主体部４４の後端上面には、固定孔４５が設けられるとともにステー５０がねじ５２により固定される固定部５４が突設されている。また、ステー５０の上部には、立壁面Ｘにステー５０を固定するワッシャー付きねじ５５が取り付けられている。
【００２０】
また、水栓本体２０の接続部３０には、混合水をシャワーに供給するためのシャワー配管６０が接続されている。シャワー配管６０の他端側は、カバー水栓１の正面視左側面から突設されて、接続金具５６を介してエルボ１８に接続されている。
【００２１】
ついでカバー９について説明する。図２に示すように、カバー９は、水栓本体２０の上部を覆う上部カバー１０と、水栓ボディ２２の下部を覆うボディカバー１１と、水栓ボディ２２の下方の配管３２，３４を覆う配管カバー７０とから構成されている。上部カバー１０は水栓ボディ２２の先端寄りの部分に被さるようにして、吐水口６の後方の部位において、その下部よりボルト１３によって水栓ボディ２２に固定されるとともに、水栓ボディ２２上部の部位においてサポートバー１４により、その裏側から当接保持されている。また、ボディカバー１１は、吐水口６の後方の部位において上部カバー１０とともにボルト１３によって水栓ボディ２２に固定されている。そして、上部カバー１０及びボディカバー１１の下部に、配管カバー７０が組み付けられている。
【００２２】
ついで、配管３２．３４、配管ステー８０および配管カバー７０について詳細に説明する。図２及び図４に示すように、湯側・水側の配管３２，３４は継手２８ａ、２８ｂの下方端に、それぞれ接続されている。また、配管３２，３４は、継手２８ａ、２８ｂから下方に向かって垂下され、カバー水栓１の下方に突設されて、さらに、図示しない浴室のカウンター内部に引き回されて、カウンターの裏面側から立壁面Ｘの外部から引き込まれた給湯配管・給水配管の端末（図示省略）に接続されている。
【００２３】
配管３２，３４の下方寄り部分は配管ステー８０により立壁面Ｘに対して固定されている。配管ステー８０はステンレスばね材により形成されている。図５及び図６に示すように、配管ステー８０全体は、ほぼ横長の矩形状に形成されており、その中央寄り左右には、配管３２，３４を抱持するために正面側に向けて平面視半円弧状に形成された抱持部８２が設けられている。抱持部８２の内径は、配管３２，３４の外径とほぼ同一に形成され、配管３２，３４を抱持部８２内に確実に抱持することができるように設けられている。また、この抱持部８２の左右両側には、それぞれ、配管ステー８０をねじ１５により立壁面Ｘにねじ止めするための固定用孔８４が穿設されている。固定用孔８４は左右にやや横長の長円形状に形成されており、ねじ１５の位置を左右方向に若干調整可能に設けられている。
【００２４】
配管ステー８０の左右両端部には、配管ステー８０の両端が正面側に屈曲されて形成された当接支持部８６がそれぞれ形成されている。当接支持部８６の形状は、配管ステー８０の長手方向の左右両端をそれぞれ頂部８８にした平面視Ｌ字状に形成されている。両頂部８８の間隔は配管カバー７０の両側部７２内側面間の間隔よりも僅かに大きく設けられており、配管ステー８０に配管カバー７０が固定される際には、両当接支持部８６が配管カバー７０の両側部７２間に弾性的に圧入されるようにして両頂部８８が両側部７２内側面に当接支持する。このようにして、当接支持部８６が配管カバー７０を固定する。
【００２５】
配管カバー７０には、正面視やや縦長の矩形状に形成された正面部７４と、正面部７４の左右両側にそって背面側に屈曲形成され上部の幅が若干広がる縦長扇状の側部７２とが備えられている。前述したように、配管カバー７０の上端前部には、ボディカバー１１の下部の係合溝１２に係合固定される係合突起７６が形成されている。
【００２６】
また、側部７２の内側面の下方寄りには、係合凹部７８が凹設されている。図４に示すように、この係合凹部は高さ方向の長さが当接支持部８６の高さ方向の長さとほぼ同一に設けられており、係合凹部７８の上下の段部７７が頂部８８の上下端に嵌合して配管カバー７０を上下方向に固定している。いる。また図５に示すように、係合凹部７８は、配管カバー７０の前後方向において、配管カバー７０が配管ステー８０に組み付けられた際に頂部８８が係合凹部７８の奥側の段部７９に位置するように形成されており、頂部８８が奥側の段部７９を立壁面Ｘ方向に押しつけるようにして、当接支持部８６が配管カバー７０を当接支持している。よって、配管カバー７０と立壁面Ｘとの間に隙間が生じ難く構成されている。なお、段部７７及び段部７９が本発明に言う「係止部」に相当する。
【００２７】
本固定構造Ｙによれば、前述のように当接支持部８６が配管カバー７０を固定する他に、配管３２，３４を立壁面Ｘに固定するための配管ステー８０を用いて配管カバー７０を固定しているので、配管カバー７０の固定のための別途の部品を必要としない。
【００２８】
次に、本発明の固定構造Ｙの別の実施の形態について説明する。なお、前述した第一の実施の形態と共通する構成については、第一の実施の形態と同一の符号を図に付して説明を省略する。図７に示すように、この固定構造Ｙに用いる配管ステー８１は、抱持部８３が正面側に開放された挿通部８５を備えているものである。この抱持部８３の内径は配管３２，３４の外径とほぼ同じく形成されるとともに、挿通部８５の幅は配管３２，３４の外径より若干小径に形成されており、抱持部８３内に、配管３２，３４を弾性的に脱着可能に設けられている。よって、抱持部８３内に配管３２，３４を固定できるだけなく、配管３２，３４を交換する必要が生じた場合などには、配管ステー８１を立壁面Ｘから取り外すことなく配管３２，３４を配管ステー８１から取り外すことができるので、カバー水栓１のメンテナンス性を向上させることができる。
【００２９】
本発明は前述した実施の形態に限られるものではなく、本発明の趣旨の範囲内で種々の変更が可能である。例えば、前述した実施の形態では配管カバー７０が他のボディカバー１１などと別体に設けられたカバー水栓１に用いることとしているが、配管カバーが他のカバーと一体に形成されたカバー水栓に用いても良い。また、配管ステーは一体的に形成されたものに限らず、例えば、配管３２，３４を固定するための部材を別体に備えるものでも良い。また、立壁面Ｘに対する配管ステーの固定手段もねじ１５に限らず他の手段を用いても良い。
【００３０】
また、前述した配管ステー８０，８１の形状に限らず他の形状としても良く、例えば、当接支持部を円弧状に形成することとしても良い。しかしながら、配管カバー７０の前後方向の位置決め固定も確実に行うためには、前述した実施の形態のように、配管カバー７０側に段部７９などを設けるとともに、当接支持部８６に頂部８８を設けて段部７９に係止可能に設けることが望ましい。なお、配管カバー７０側には段部７９に代えて突条を設けても良い。
【００３１】
また、前述した当接支持部８６は配管ステー８０の正面側に向けて屈曲形成されているが、背面側に向けて屈曲形成されるものでも良い。しかしながら、前述したように、配管カバー７０を立壁面Ｘ側に押しつけるようにして固定するためには、前述した実施の形態のように、両頂部８８間の長さを両側部７２間よりも大きく形成するとともに当接支持部８６を正面側に向けて屈曲形成して、側部７２を立壁面Ｘ方向に横圧的に固定することが望ましい。
【００３２】
また、前述した実施の形態では配管カバー７０の正面部７４裏面と配管ステー８０との間に隙間が設けられているが、配管カバー７０の取付状態には配管ステー８０が正面部７４の裏面に当接するように設けて正面方向からの応力に対する補強を行うものとしても良い。
【図面の簡単な説明】
【００３３】
【図１】本発明の固定構造を用いたカバー水栓の斜視図である。
【図２】図１のカバー水栓の側面視縦断面図である。
【図３】図１のカバー水栓の平面視横断面図である。
【図４】図１のカバー水栓の正面視一部破断面図である。
【図５】図１のカバー水栓の一部底面図である。
【図６】固定構造の要部拡大斜視図である。
【図７】別の配管ステーの底面図である。
【符号の説明】
【００３４】
１；カバー水栓、２；背面部、３；平面部、４；温度調節ハンドル、５；切換ハンドル、６；吐水口、７；シャワーホース、９；カバー、１０；上部カバー、１１；ボディカバー、１２；係合溝、１３；ボルト、１４；サポートバー、１５；ねじ、１６；安全ボタン、１７；把手、１８；エルボ、２０；水栓本体、２２；水栓ボディ、２４；温度調節カートリッジ、２６；切換弁カートリッジ、２７ａ．２７ｂ；接続部、２８ａ．２８ｂ；継手、３０；接続部、３２，３４；配管、４０；水栓側接続部、４２；逆流防止弁ユニット、４４；主体部、４５；固定孔、４６；止水栓ユニット、５０；ステー、５２；ねじ、５４；固定部、５５；ワッシャー付きねじ、６０；シャワー配管、７０；配管カバー、７２；側部、７４；正面部、７６；係合突起、７７；段部、７８；係合凹部、７９；段部、８０．８１；配管ステー、８２．８３；抱持部、８４；固定用孔、８５；挿通部、８６；当接支持部、８８；頂部、Ｘ；立壁面、Ｙ；固定構造。
【図１】
2008240307.tif 000003
【図２】
2008240307.tif 000004
【図３】
2008240307.tif 000005
【図４】
2008240307.tif 000006
【図５】
2008240307.tif 000007
【図６】
2008240307.tif 000008
【図７】
2008240307.tif 000009